(57)【要約】【課題】パケット交換を用いた通信サービスを行う場合、ユーザに対して、通信サービスの接続確立時間を短縮すること。【解決手段】相手端末との間でパケット交換及び回線交換を用いた通信を行うことが可能な通信端末１００である。相手端末との間でパケット交換を用いた通信サービスの接続確立を開始する場合に、接続方式決定部１３１は、通信接続方式を決定することによって、パケット交換を用いた通信サービスを、回線交換を用いて擬似的に行う疑似通信サービスが実現可能であるか否かを判断する。疑似サービス提供部１３６は、回線交換を用いた擬似通信サービスが実現可能であると判断された場合、パケット交換を用いた通信サービスの接続が確立するまで、回線交換を用いた擬似通信サービスを行う。【選択図】図２
2008153791.tif 000002
【特許請求の範囲】
【請求項１】
相手端末との間でパケット交換及び回線交換を用いた通信を行うことが可能な通信端末であって、
前記相手端末との間で前記パケット交換を用いた通信サービスの接続確立を開始する場合に、前記パケット交換を用いた前記通信サービスを、前記回線交換を用いて擬似的に行う疑似通信サービスが実現可能であるか否かを判断する疑似通信サービス判定手段と、
前記回線交換を用いた前記擬似通信サービスが実現可能であると判断された場合、前記パケット交換を用いた前記通信サービスの接続が確立するまで、前記回線交換を用いた前記擬似通信サービスを行う疑似サービス提供手段と、
を有することを特徴とする通信端末。
【請求項２】
前記疑似サービス提供手段は、前記回線交換を用いた前記擬似通信サービスにおける前記回線交換の接続確立処理を、前記パケット交換を用いた前記通信サービスの接続確立処理の開始と並行して開始する同時接続手段を有することを特徴とする請求項１記載の通信端末。
【請求項３】
前記疑似サービス提供手段は、前記回線交換を用いた前記擬似通信サービス中に、前記パケット交換を用いた前記通信サービスの接続が確立した場合、前記パケット交換を用いた前記通信サービスへ切り替える切り替え手段を有することを特徴とする請求項１記載の通信端末。
【請求項４】
前記通信サービスがＰｏＣであることを特徴とする請求項１記載の通信端末。
【請求項５】
前記通信サービスがＶｏＩＰであることを特徴とする請求項１記載の通信端末。
【請求項６】
前記疑似サービス提供手段は、前記回線交換を用いて、擬似的に前記パケット交換を用いた前記通信サービスとしてのＰｏＣを実行する際に、前記回線交換を用いて交換される音声を、半二重音声として再現することを特徴とする請求項４記載の通信端末。
【請求項７】
相手端末との間でパケット交換及び回線交換を用いた通信を行うことが可能な通信端末を用いて、パケット交換を用いた通信サービスの接続確立を行う通信サービス接続方法であって、
前記相手端末との間で前記パケット交換を用いた通信サービスの接続確立を開始する場合に、前記パケット交換を用いた前記通信サービスを、前記回線交換を用いて擬似的に行う疑似通信サービスが実現可能であるか否かを判断する疑似通信サービス判断ステップと、
前記回線交換を用いた前記擬似通信サービスが実現可能であると判断された場合に、前記パケット交換を用いた前記通信サービスの接続が確立するまで、前記回線交換を用いた前記擬似通信サービスを実行する疑似サービス提供ステップとを有することを特徴とする通信サービス接続方法。
【請求項８】
前記疑似サービス提供ステップは、前記回線交換を用いた前記擬似通信サービスにおける前記回線交換の接続確立処理を、前記パケット交換を用いた前記通信サービスの接続確立処理の開始と並行して開始することを特徴とする請求項７記載の通信サービス接続方法。
【請求項９】
前記疑似サービス提供ステップは、前記回線交換を用いた前記擬似通信サービス中に、前記パケット交換を用いた前記通信サービスの接続が確立した場合、前記パケット交換を用いた前記通信サービスへ切り替えることを特徴とする請求項７記載の通信サービス接続方法。
【発明の詳細な説明】
【技術分野】
【０００１】
本発明は、通信端末及び、通信端末間で、ＩＰネットワークを介して通信サービスを行う通信サービス接続方法に関する。
【背景技術】
【０００２】
従来、インターネットの発展に伴い、音声や動画等様々なデータをＩＰ（Internet Protocol）に基づいて伝送し、ユーザ間のコミュニケーションを実現することが可能となっている。
【０００３】
このＩＰ上では、標準的なシグナリングプロトコルとしてＳＩＰ（Session Initiation Protocol）が用いられている。
【０００４】
ＳＩＰは、ユーザ間のコミュニケーションセッションの確立・変更・切断等のシグナリング処理を行うプロトコルであり、ＩＥＴＦ（Internet Engineering Task Force）によって策定されたものである。
【０００５】
このＳＩＰでは、プロキシサーバと呼ばれる中間サーバを介して通信端末間のシグナリングメッセージの交換が行われる。特に、コミュニケーションの確立を要求する発信時のメッセージは、１つ以上のプロキシサーバを介することにより発信側端末から着信側端末へ中継される。
【０００６】
このとき、各プロキシサーバ上では、メッセージに含まれる宛先ＳＩＰアドレスからメッセージの送信先を決定するためのアドレス解決の処理が行われる。
【０００７】
このアドレス解決には、ＤＮＳ（Domain Name Server）への問い合わせやデータベースの参照等の処理が必要となり、大きな遅延が生じる。このため、発信側端末においてＳＩＰの接続確立要求メッセージを送信してから、このメッセージが着信側端末で受信されるまでに数秒の時間を要することがある。
【０００８】
一方、移動体通信の分野でもＩＰを用いたコミュニケーションが広がりつつあり、セルラ網上で各種通信サービスをＩＰにより実現するための規格であるＩＭＳ（IP Multimedia Subsystem）がＷ−ＣＤＭＡ規格の標準化団体である３ＧＰＰにおいて策定されている。
【０００９】
このＩＭＳではシグナリングプロトコルとしてＳＩＰを採用している。ＩＭＳにより、今後マルチメディアデータを用いた様々なコミュニケーションサービスがセルラ網上で実現されるものと考えられている。
【００１０】
このＩＭＳサービスの１つであるＰｏＣ（Push-to-talk over Cellular）は、半二重音声を用いて２人以上のユーザ間で交互に発話を行うトランシーバ型のコミュニケーションサービスであり、日本では２００５年より移動体通信キャリアによりサービス提供が開始されている。
【００１１】
セルラ網上でパケット交換を用いて実現されるサービスは、ＩＰアドレスの取得やアプリケーションサーバへの登録処理等の回線交換にはない手続きを経る必要があるため、一般的に回線交換に比べて接続確立処理に時間を要する。
【００１２】
これに加えてＩＭＳサービス等のＳＩＰを用いたサービスの場合には、接続確立時に前述のＳＩＰプロキシサーバ上の処理遅延が発生する。
【００１３】
特許文献１に記載された技術では、基地局において行われるサービス開始時のリソース割り当ての時間を削減することにより、Ｐｕｓｈ−ｔｏ−Ｔａｌｋ開始時の遅延を改善することが可能となる。
【特許文献１】特表２０００−５１２４５９号公報
【発明の開示】
【発明が解決しようとする課題】
【００１４】
しかしながら上記従来の技術では、セルラ網上でＰｏＣやＶｏＩＰ（Voice over Internet Protocol）等のパケット交換サービスを開始する際の、基地局におけるリソース確保時間の短縮を望むことはできるが、前述のＩＰアドレス取得処理やＳＩＰプロキシサーバの処理に起因する遅延を改善することはできない。そのため、セルラ網若しくはインターネット上でパケット交換サービスを実現する場合の接続確立時の遅延が回線交換サービスに比べて大きく、ユーザにとってストレスの原因となりうるという課題があった。
【００１５】
本発明はかかる点に鑑みてなされたものであり、ユーザからみたパケット交換サービスの接続確立時の遅延を削減して、パケット交換サービスの接続確立時間の短縮を図ることができる通信端末および通信サービス接続方法を提供することを目的とする。
【課題を解決するための手段】
【００１６】
本発明の通信端末は、相手端末との間でパケット交換及び回線交換を用いた通信を行うことが可能な通信端末であって、前記相手端末との間で前記パケット交換を用いた通信サービスの接続確立を開始する場合に、前記パケット交換を用いた前記通信サービスを前記回線交換を用いて擬似的に行う疑似通信サービスが実現可能であるか否かを判断する疑似通信サービス判定手段と、前記回線交換を用いた前記擬似通信サービスが実現可能であると判断された場合、前記パケット交換を用いた前記通信サービスの接続が確立するまで、前記回線交換を用いた前記擬似通信サービスを行う疑似サービス提供手段とを有する構成を採る。
【００１７】
本発明の通信サービス接続方法は、相手端末との間でパケット交換及び回線交換を用いた通信を行うことが可能な通信端末を用いて、パケット交換を用いた通信サービスの接続確立を行う通信サービス接続方法であって、前記相手端末との間で前記パケット交換を用いた通信サービスの接続確立を開始する場合に、前記パケット交換を用いた前記通信サービスを前記回線交換を用いて擬似的に行う疑似通信サービスが実現可能であるか否かを判断する疑似通信サービス判断ステップと、前記回線交換を用いた前記擬似通信サービスが実現可能であると判断された場合に、前記パケット交換を用いた前記通信サービスの接続が確立するまで、前記回線交換を用いた前記擬似通信サービスを実行する疑似サービス提供ステップとを有するようにした。
【発明の効果】
【００１８】
以上説明したように、本発明によれば、パケット交換を用いた通信サービスを確立する際に、回線交換による接続を用いて擬似的に通信サービスの先行提供を行うことにより、ユーザから見た通信サービスの接続確立時間を短縮し、ユーザのストレスを軽減することができる。
【発明を実施するための最良の形態】
【００１９】
以下、本発明の一実施の形態について、図面を参照して詳細に説明する。
【００２０】
図１は、本発明の一実施の形態に係る通信端末１００を備える通信システム２００の構成を示す図である。
【００２１】
図１に示される通信システム２００は、パケット交換網３００と、回線交換網４００と、パケット交換網３００及び回線交換網４００に接続された複数の通信端末１００ａ、１００ｂとを備える。通信端末１００ａと通信端末１００ｂとは同様に構成されたものであり、通信端末１００と総称して説明する。
【００２２】
パケット交換網３００は、インターネットやＬＡＮ、若しくはパケット交換方式のセルラ網等の、ＩＰパケットによる伝送を行うことのできる網である。
【００２３】
回線交換網４００は、固定電話網や回線交換方式のセルラ網等の、回線交換による伝送が可能な網である。
【００２４】
なお、パケット交換網３００と回線交換網４００は、パケット交換方式と回線交換方式の両方式による伝送が可能な単一の網により実現されても良い。
【００２５】
図２は、本発明の一実施の形態に係る通信端末１００の概略構成を示すブロック図である。
【００２６】
図２に示す通信端末１００は、ユーザに対する情報の入出力の制御を行う入出力部１０１と、記憶部１１０と、パケット交換若しくは回線交換を用いた各種サービスの制御を行うサービス制御部１３０と、音声や動画等のメディアの送受信とユーザへの入出力を制御するメディア制御部１４０と、パケット交換網３００との間で通信を行うパケット交換通信部１５０と、回線交換網４００との間で通信を行う回線交換通信部１６０とを備える。
【００２７】
入出力部１０１はマウスやボタン、カメラ、マイク等の入力デバイス、及びディスプレイやスピーカ、ＬＥＤ等の出力デバイス等から構成される。
【００２８】
入出力部１０１は、ユーザからの指示や、音声や動画等のメディアデータ等の情報が入力され、入力された情報をサービス制御部１３０若しくはメディア制御部１４０へ出力する。
【００２９】
また、入出力部１０１は、サービス制御部１３０やメディア制御部１４０から入力された音声や動画、テキストデータなどの情報を、例えば、ディスプレイやスピーカ等を用いてユーザに確認させる。
【００３０】
記憶部１１０は、サービス制御部１３０において、パケット交換通信サービス及び回線交換サービスを用いて擬似的なパケット交換サービスを実行する際に用いられる情報等を有する。特に、記憶部１１０は、アドレス情報テーブル１１１と、サービス情報テーブル１１２と、セッション情報テーブル１１３等とを備える。
【００３１】
図３はアドレス情報テーブル１１１の一例を示す図である。
【００３２】
図３に示すアドレス情報テーブル１１１では、通信端末１００のユーザの通信相手となる宛先ユーザのパケット交換アドレスと回線交換アドレスが格納されている。これらのアドレスは電話番号やＳＩＰ  ＵＲＩ等の識別子により表されるものであり、パケット交換アドレスと回線交換アドレスは同一であっても良い。
【００３３】
図４は、サービス情報テーブル１１２の一例を示す図である。
【００３４】
図４に示すサービス情報テーブル１１２は、回線交換を用いた同時発信可能な通信サービスを格納している。ここでは、サービス情報テーブル１１２では、ＰｏＣ及びＶｏＩＰが、回線交換を用いた同時発信を行う設定となっており、ＩＭ（Ｉｎｓｔａｎｔ  Ｍｅｓｓａｇｉｎｇ）は同時発信を行わない設定となっている。
【００３５】
図５はセッション情報テーブル１１３の一例を示す図である。
【００３６】
図５では、サービスに関するセッション情報が示されており、通信先パケット交換アドレス、通信先回線交換アドレス、サービスタイプ、通信方式、サービス識別子が格納されている。通信先回線交換アドレスは、パケット交換サービスを開始する際に、パケット交換による接続確立に先行して、一時的に回線交換により擬似的なパケット交換サービスを実現する場合に設定される。
【００３７】
サービス制御部１３０は、記憶部１１０に格納された情報を用いて、パケット交換通信部１５０及び回線交換通信部１６０を制御して、パケット交換を用いた通信サービス（「パケット交換サービス」ともいう）及び回線交換を用いた通信サービス（「回線交換サービス」ともいう）を行う。
【００３８】
また、サービス制御部１３０は、入出力部１０１を介して、ユーザからの指示の受け付け、及びユーザへのサービス状態の表示等の入出力を行う。
【００３９】
サービス制御部１３０は、パケット交換サービスの場合にはパケット交換通信部１５０を介してパケット交換網３００との間で、回線交換サービスの場合は回線交換通信部１６０を介して回線交換網４００との間でシグナリングデータの送受信を行う。また、サービス制御部１３０は、サービスの状態に応じてメディア制御部１４０に対する指示を行い、メディア制御部１４０を介したメディアの入出力と送受信の管理を行う。
【００４０】
サービス制御部１３０は、通信サービスを行う際に動作する接続方式決定部１３１と、同時接続部１３２と、疑似サービス実行部１３３と、接続切替部１３４と、パケット交換サービス実行部１３５とを備える。
【００４１】
接続方式決定部（疑似通信サービス判定部）１３１は、サービス制御部１３０において通信サービスを行う場合、当該通信サービスで用いる通信方式を決定する。
【００４２】
具体的に、接続方式決定部１３１は、入出力部１０１からパケット交換を用いたサービスの開始を指示された場合に、サービス情報テーブル１１２を用いて、パケット交換と回線交換による同時発信を行うかどうかを決定する。例えば、本実施の形態では、接続方式決定部１３１は、図４に示すサービス情報テーブル１１２を用いて、開始要求されたサービスがＰｏＣとＶｏＩＰである場合、回線交換の同時発信が可能であることが設定されている。
【００４３】
このように、接続方式決定部１３１は、前記パケット交換を用いた前記通信サービスを、前記回線交換を用いて擬似的に行う疑似通信サービスが実現可能であれば、パケット交換通信部１５０を用いてパケット交換網３００を介して行う通信方式とともに、回線交換通信部１６０を用いて回線交換網４００を介して行う通信方式を決定する。一方、接続方式決定部１３１は、前記パケット交換を用いた前記通信サービスを、前記回線交換を用いて擬似的に行う疑似通信サービスが可能でなければ、接続方式決定部１３１は、パケット交換通信部１５０を用いてパケット交換網３００を介して行う通信方式を決定している。
【００４４】
すなわち、接続方式決定部１３１は、相手端末との間でパケット交換を用いた通信サービスの接続確立を開始する場合、ここでは、入出力部１０１からパケット交換サービスの開始指示があった場合、サービス情報テーブル１１２（図４参照）を用いて、パケット交換を用いた通信サービスを、回線交換を用いて擬似的に行う疑似通信サービスが実現可能であるか否かを判断する。疑似通信サービスが実現可能であれば、接続方式決定部１３１は、パケット交換を用いた通信方式とともに、回線交換を用いた通信方式を同時に用いることを決定している。
【００４５】
同時接続部１３２は、接続方式決定部１３１にてパケット交換と回線交換との同時発信が決定された際に、パケット交換によるサービスの接続確立処理と並行して回線交換による擬似的なサービスの接続確立処理を行う。
【００４６】
同時接続部１３２は、同時発信の決定によって、アドレス情報テーブル１１１（図３参照）とセッション情報テーブル１１３（図５参照）とを用いて、パケット交換及び回線交換の両サービスの接続を確立すべく両サービスの接続を開始する。
【００４７】
疑似サービス実行部１３３は、アドレス情報テーブル１１１（図３参照）とセッション情報テーブル１１３（図５参照）とを用いて、接続が確立された回線交換通信部１６０を介して、回線交換を用いてパケット交換サービスを擬似的に実行する。
【００４８】
詳細には、疑似サービス実行部１３３は、同時接続部１３２により開始された回線交換によるサービスの接続が確立した際に、接続が確立した回線交換を用いて、回線交換通信部１６０を制御して擬似的にパケット交換を用いた通信サービスを実行する。
【００４９】
疑似サービス実行部１３３では、例えば、パケット交換を用いた通信サービスがＰｏＣである場合、回線交換を用いて交換される全二重音声を、半二重音声として再現する。具体的には、疑似サービス実行部１３３は、相手端末との間で、一方が送話を行っている期間のみユーザの音声を再生し、それ以外の期間は無音データを交換・再生することで、ＰｏＣの特徴である半二重音声の交換を擬似的に再現する。
【００５０】
接続切替部１３４は、サービスの通信方式を回線交換からパケット交換へ変更、つまり、回線交換通信部１６０を介した通信接続から、パケット交換通信部１５０を介した通信接続に切り替える。接続切替部１３４は、回線交換を用いた疑似通信サービス中に、パケット交換の接続が確立した際に、パケット交換通信部１５０を制御して、パケット交換を用いた通信サービスの実行に切り替える。
【００５１】
同時接続部１３２、疑似サービス実行部１３３及び接続切替部１３４は、接続方式決定部１３１により回線交換を用いた擬似通信サービスが実現可能であると判断された場合、パケット交換を用いた通信サービスの接続が確立するまで、回線交換を用いた前記擬似通信サービスを行う疑似サービス提供部１３６として機能する。
【００５２】
パケット交換サービス実行部１３５は、接続方式決定部１３１または接続切替部１３４からのパケット交換通信実行の旨の指示を受けて、アドレス情報テーブル１１１（図３参照）とセッション情報テーブル１１３（図５参照）とを用いて、パケット交換通信部１５０を制御してパケット交換を用いた通信サービスを実行する。
【００５３】
パケット交換通信部１５０は、サービス制御部１３０やメディア制御部１４０により制御され、パケット交換網３００を介して、相手方の通信端末との間でパケット交換を用いた通信サービスを行う。
【００５４】
具体的に、パケット交換通信部１５０は、サービス制御部１３０からの指示を受けて、パケット交換網３００との間でＩＰアドレスの取得を含むパケット交換の接続確立処理を行う。
【００５５】
詳細には、パケット交換通信部１５０は、サービス制御部１３０から受け取ったＳＩＰメッセージ等のサービスレベルのシグナリングデータ、若しくはメディア制御部１４０から受け取った音声や動画等のメディアデータをパケット交換網３００へ送信する。
【００５６】
さらに、パケット交換通信部１５０は、パケット交換網３００からシグナリングデータを受信してサービス制御部１３０へ出力するとともに、パケット交換網３００からメディアデータを受信してメディア制御部１４０へ出力する。
【００５７】
回線交換通信部１６０は、サービス制御部１３０やメディア制御部１４０により制御され、回線交換網４００を介して、相手方の通信端末との間で回線交換を用いた通信サービスを行う。
【００５８】
具体的に、回線交換通信部１６０は、サービス制御部１３０からの指示を受けて、回線交換網４００との間で無線リンク設定等の回線交換の接続確立処理を行う。
【００５９】
また、回線交換通信部１６０は、サービス制御部１３０から受け取ったＱ．９３１メッセージ等のサービスレベルのシグナリングデータ、若しくはメディア制御部１４０から受け取った音声や動画等のメディアデータを回線交換網４００へ送信する。
【００６０】
また、回線交換通信部１６０は、回線交換網４００からシグナリングデータを受信してサービス制御部１３０へ出力し、回線交換網４００からメディアデータを受信してメディア制御部１４０へ出力する。
【００６１】
メディア制御部１４０は、サービス制御部１３０からの指示を受けて、入出力部１０１を介したユーザへのメディアの入出力を行う。
【００６２】
また、メディア制御部１４０は、パケット交換通信部１５０を介したパケット交換網３００との間のデータの送受信を制御する。
【００６３】
さらに、メディア制御部１４０は、回線交換通信部１６０を介した回線交換網４００との間のデータの送受信を制御する。
【００６４】
次に、通信システム２００において、通信端末１００ａが通信端末１００ｂに対してパケット交換を用いた通信サービスの接続確立を行う際の両通信端末１００ａ、１００ｂの動作について図６〜図１１を用いて説明する。
【００６５】
なお、以下で説明する通信端末１００ａによるパケット交換を用いた通信サービスの接続確立が行われる通信システムでは、パケット交換網３００と回線交換網４００は、パケット交換方式と回線交換方式による伝送が可能な単一のセルラ網とする。また、通信端末１００ａのユーザをユーザ１と称し、通信端末１００ｂのユーザ２と称する。また、サービス制御部１３０のパケット交換サービス実行部１３５において実行されるパケット交換を用いた通信サービスは、ＰｏＣとしたり、ＶｏＩＰとしてもよいが、以下ではＰｏＣを例にして説明する。
【００６６】
図６及び図７は、本発明の一実施の形態に係る通信端末１００ａの動作の説明に供するシーケンス図である。
【００６７】
図６に示すように、通信端末１００ａにてパケット交換を用いた通信サービスを行う場合、ステップＳ１０１では、最初にユーザ１が、入出力部１０１のボタンの押下等の操作によりユーザ２のパケット交換アドレスを指定し、ユーザ２に対するＰｏＣ通信の開始を指示する。ここでユーザ１は、通信端末１００ｂのユーザ２のパケット交換アドレスを、通信端末１００ａに備えられたアドレス帳などのリスト（図３のアドレス情報）から選択しても良いし、直接入力することにより指定しても良い。ステップＳ１０２では、入出力部１０１がサービス制御部１３０にＰｏＣ通信開始要求を出力する。
【００６８】
入出力部１０１を介してＰｏＣ通信の開始の指示を受けた通信端末１００ａのサービス制御部１３０は、ユーザから指定されたユーザ２のパケット交換アドレスをセッション情報テーブル１１３（図５参照）の通信先パケット交換アドレスに格納する。
【００６９】
次いで、ステップＳ１０３では、通信端末１００ａのサービス制御部１３０は、ユーザ１の要求により開始されるサービスがパケット交換を用いたサービスであるため、サービス情報テーブル１１２（図４参照）に設定された情報から回線交換を用いて同時発信するかどうかの判断を行う。ここで、図４に示すサービス情報テーブル１１２では、ＰｏＣは同時発信を行う設定となっている。このため、通信端末１００ａのサービス制御部１３０は、通信端末１００ｂに対して回線交換を用いた同時発信を行うことを決定する。
【００７０】
パケット交換を用いた通信接続及び交換回線を用いた通信接続の同時発信を行うことを決定した通信端末１００ａのサービス制御部１３０は、ユーザ２のパケット交換アドレスに対応する回線交換アドレスをアドレス情報テーブル１１１から取得し、取得した回線交換アドレスをセッション情報テーブル１１３（図５参照）に格納する。また、通信端末１００ａのサービス制御部１３０は、サービス識別子を生成し、これをセッション情報テーブル１１３（図５参照）の通信先回線交換アドレスに格納する。なお、ステップＳ１０３における接続方式決定処理の詳細については後述する。
【００７１】
次いで、ステップＳ１０４では、通信端末１００ａのサービス制御部１３０は、ユーザ２のパケット交換アドレスとサービス識別子を指定してパケット交換通信部１５０にＰｏＣ接続の開始を指示する。この指示を受けて、パケット交換通信部１５０は、外部にセッション識別子を含んだＰｏＣ接続確立要求メッセージを送信する。なお、この接続確立要求メッセージは、例えばＳＩＰのＩＮＶＩＴＥメッセージである。そして、サービス識別子はこの接続確立要求メッセージのヘッダやオプション領域等に格納される。
【００７２】
次いで、ステップＳ１０５では、通信端末１００ａのサービス制御部１３０は、パケット交換通信部１５０を介して、通信端末１００ｂとＰｏＣ通信を確立するための処理を開始する。
【００７３】
また同時に、ステップＳ１０６では、通信端末１００ａのサービス制御部１３０は、セッション情報（図５参照）を用いて、ユーザ２の回線交換アドレスとサービス識別子を指定して回線交換通信部１６０に音声接続の開始を指示する。この接続確立要求メッセージは、例えばＱ．９３１のＳＥＴＵＰメッセージである。そして、サービス識別子は、この接続確立要求メッセージのヘッダやオプション領域等に格納される。
【００７４】
その後、ステップＳ１０７では、通信端末１００ａのサービス制御部１３０は、回線交換通信部１６０を介して、通信端末１００ｂと音声通信を確立するための処理を開始する。
【００７５】
なお、通信端末１００ａのサービス制御部１３０がパケット交換部１５０を介して行うＰｏＣ接続処理と、回線交換通信部１６０を介して行う音声接続処理は、並行して行われる。
【００７６】
ここでは、回線交換通信部１６０による疑似ＰｏＣサービスの接続処理が先行して処理が完了したものとして説明を続ける。
【００７７】
ステップＳ１０８にて、通信端末１００ａの回線交換通信部１６０が、回線交換網４００との間で行われる音声通信の接続処理を完了すると、ステップＳ１０９にて、通信端末１００ａの回線交換通信部１６０は、サービス制御部１３０に接続完了を通知する。
【００７８】
この時点で通信端末１００ａのセッション情報テーブル１１３（図５参照）の通信方式には何も格納されていない。このため、通信端末１００ａにおいて、回線交換通信部１６０から接続完了の通知を受けたサービス制御部１３０は、回線交換による擬似ＰｏＣサービスを開始することを決定し、セッション情報テーブル１１３の通信方式に「回線交換」を格納する。
【００７９】
また、通信端末１００ａのサービス制御部１３０は、ステップＳ１１０にて、メディア制御部１４０に対して回線交換を用いた擬似的な半二重音声によるメディア制御を開始するよう通知する。
【００８０】
サービス制御部１３０からメディア制御方法の通知を受けた通信端末１００ａのメディア制御部１４０は、擬似的な半二重音声によるメディア入出力を開始する。
【００８１】
具体的には、通信端末１００ａのメディア制御部１４０は、入出力部１０１を介して入力される音声を破棄し、無音データを送出する処理を開始する。その後、サービス制御部１３０から音声送出の要求を受けた場合には、通信端末１００ａのメディア制御部１４０は無音データの送出を停止し、入出力部１０１を介して入力される音声のエンコードと、回線交換通信部１６０を介した送出を開始する。
【００８２】
また、通信端末１００ａのメディア制御部１４０は、回線交換通信部１６０を介して受信した音声データのデコード処理と、入出力部１０１を介した音声の再生を開始する。
【００８３】
ここで、通信端末１００ａのサービス制御部１３０は、音声データの送受信状況からフロア権の取得常態の管理を行ってもよい。この場合、無音データでない音声データの送出中を「フロア権取得中」、無音データでない音声データの受信中を「フロア権被取得中」というセッション状態として扱う。
【００８４】
これにより、通信端末１００ａのサービス制御部１３０は、通信端末１００ｂから無音データでない音声の受信中に、ユーザ１からユーザ２に対する送話の開始を指示された場合、「フロア権被取得中」であるため送話が開始できない旨のエラーを入出力部１０１を介してユーザ１に通知することが可能となり、ＰｏＣのフロア権制御を擬似的に再現することが可能となる。
【００８５】
ステップＳ１１１では、通信端末１００ａのサービス制御部１３０は、入出力部１０１を介してユーザ１に対してＰｏＣサービスの接続が完了してＰｏＣ開始した旨の通知（ユーザに対するＰｏＣ開始通知）を出力する。
【００８６】
この後、ステップＳ１１２では、ユーザ１がボタン押下等の動作によりユーザ２に対する送話の開始を指示し、この指示を受けて、ステップＳ１１３では、通信端末１００ａの入出力部１０１は、サービス制御部１３０へ送話開始の要求を行う。
【００８７】
ステップＳ１１４では、入出力部１０１から送話開始の要求を受けた通信端末１００ａのサービス制御部１３０は、メディア制御部１４０に対して、音声送出の開始を要求する。
【００８８】
ステップＳ１１５では、サービス制御部１３０から音声送出の開始を指示された通信端末１００ａのメディア制御部１４０が、入出力部１０１を介して入力される音声を、回線交換方式で送信するためのフォーマットへ変換し、回線交換通信部１６０を介して送出する。ステップＳ１１６では、サービス制御部１３０は、入出力部１０１に対して送話開始通知を行う。例えば、ステップＳ１１６では、サービス制御部１３０は、入出力部１０１のディスプレイ又はスピーカに、送話開始通知を出力することによって、送話開始通知を示す表示又は音声でユーザに報知させる。
【００８９】
その後、ステップＳ１１７にて、通信端末１００ａのユーザが、ボタン押下若しくは押していたボタンの解放といった動作により送話の終了を指示すると、ステップＳ１１８では、通信端末１００ａの入出力部１０１は、サービス制御部１３０へ送話終了の要求を行う。
【００９０】
ステップＳ１１９では、送話終了の要求を受けた通信端末１００ａのサービス制御部１３０は、メディア制御部１４０に対して音声送出の終了を要求、つまり音声停止を要求する。サービス制御部１３０から音声送出の終了を要求されたメディア制御部１４０は、入出力部１０１を介して入力される音声のエンコードを停止し、回線交換通信部１６０を介して送信している音声データを無音データに変更する。
【００９１】
図７に示すステップＳ１２０において、パケット交換通信部１５０がＰｏＣ接続処理を完了すると、ステップＳ１２１において、パケット交換通信部１５０は、サービス制御部１３０に、ＰｏＣ接続処理完了通知を出力する。
【００９２】
ステップＳ１２２では、ＰｏＣ接続処理完了通知を受けたサービス制御部１３０は通信切替の決定を行う。このとき、サービス制御部１３０は、セッション情報テーブル１１３の通信方式から、接続処理完了通知対象のＰｏＣサービスが現在回線交換により擬似的に実現されていることを判別できるため、通信端末１００ａのサービス制御部１３０は、通信方式をパケット交換に変更することを決定し、セッション情報テーブル１１３の通信方式の内容を「パケット交換」に変更する。なお、ステップＳ１２２における通信切替決定処理の詳細については後述する。
【００９３】
次いで、ステップＳ１２３では、通信端末１００ａのサービス制御部１３０は、メディア制御部１４０に対して、回線交換による疑似的な半二重音声から、パケット交換による半二重音声にメディア制御方法を変更するよう通知する。
【００９４】
このメディア制御方法の変更を受けた通信端末１００ａのメディア制御部１４０は、回線交換通信部１６０を介した音声の送受信を停止し、パケット交換網３００を介したパケット交換を用いた音声の送受信と、これに伴う入出力部１０１に対する音声の入出力とを開始する。
【００９５】
具体的には、メディア制御部１４０は、パケット交換通信部１５０を介して受信する音声パケットのデコードと入出力部１０１を介した音声の出力を開始し、入出力部１０１を介して入力されるユーザ１の音声は、サービス制御部１３０から音声送出の開始を指示されるまで送出を行わない。
【００９６】
次いで、ステップＳ１２４では、通信端末１００ａのサービス制御部１３０は、回線交換通信部１６０に対して切断要求の送信を指示する。
【００９７】
ステップＳ１２５では、切断指示を受けた回線交換通信部１６０は、回線交換による接続を切断するための処理を開始する。
【００９８】
ステップＳ１２６では、回線交換通信部１６０が回線交換による接続の切断処理が完了し、ステップＳ１２７では、通信端末１００ａにおいて回線交換通信部１６０は、サービス制御部１３０に切断完了通知を通知して、セッション情報テーブル１１３の通信先回線交換アドレスを削除する。
【００９９】
この後、ステップＳ１２８にて、ユーザ１がボタン押下等の動作により通信端末１００ｂのユーザに対する送話の開始を指示すると、ステップＳ１２９では、通信端末１００ａの入出力部１０１は、サービス制御部１３０へ送話開始の要求を行う。
【０１００】
ステップＳ１３０では、入出力部１０１から送話開始の要求を受けたサービス制御部１３０は、パケット交換通信部１５０に、発話権を取得するための発話権取得要求（Ｆｌｏｏｒ  Ｒｅｑｕｅｓｔ）指示を出力する。発話権取得要求（Ｆｌｏｏｒ  Ｒｅｑｕｅｓｔ）指示を受けたパケット交換通信部１５０は、ＰｏＣサーバ３０１（図１参照）に対して、発話権取得要求（Ｆｌｏｏｒ  Ｒｅｑｕｅｓｔ）を送信する。
【０１０１】
ステップＳ１３１では、ＰｏＣサーバ３０１（図１参照）から発話権取得要求に対する応答としての発話権取得通知（Ｆｌｏｏｒ  Ｇｒａｎｔ）を受信したパケット交換通信部１５０が、サービス制御部１３０に、受信した発話権取得通知（Ｆｌｏｏｒ  Ｇｒａｎｔ）を含む発話権取得通知の受信通知を送信する。
【０１０２】
ステップＳ１３２では、サービス制御部１３０は、メディア制御部１４０に対して音声送出の開始を指示（音声送出要求）する。また、ステップＳ１３３では、サービス制御部１３０は、入出力部１０１に、送話開始通知指示を出力する。つまり、ステップＳ１３３では、サービス制御部１３０は、入出力部１０１を介してユーザ１に対して送話が可能となったことを通知する。
【０１０３】
ステップＳ１３４では、サービス制御部１３０から音声送出の開始を指示された通信端末１００ａのメディア制御部１４０は、入出力部１０１を介して入力される音声のエンコードとパケット化、及びパケット交換通信部１５０を介した音声パケットの送出（送信）を開始する。
【０１０４】
その後、ステップＳ１３５にて、通信端末１００ａのユーザが、送話の終了を指示すると、ステップＳ１３６では、通信端末１００ａの入出力部１０１は、サービス制御部１３０へ送話終了の要求を行う。
【０１０５】
入出力部１０１から送話終了の要求を受けた通信端末１００ａのサービス制御部１３０は、ステップＳ１３７にて、メディア制御部１４０に対して音声送出の終了を指示（音声停止要求）する。
【０１０６】
サービス制御部１３０から音声送出の停止を要求された通信端末１００ａのメディア制御部１４０は、パケット交換通信部１５０を介した音声パケットの送出を停止する。
【０１０７】
次いで、ステップＳ１３８では、通信端末１００ａのサービス制御部１３０は、パケット交換通信部１５０を介して発話権解放要求（Ｆｌｏｏｒ  Ｒｅｌｅａｓｅ）の送信を行い、発話を終了することをサーバへ通知する。
【０１０８】
以上、本発明の実施の形態に係る通信端末１００ａの動作について説明した。
【０１０９】
次に、通信端末１００ａによるパケット交換を用いた通信サービスの対象となる通信端末１００ｂの動作について説明する。
【０１１０】
図８及び図９は、本発明の一実施の形態に係る通信端末においてパケット交換を用いた通信サービスの対象となる通信端末の動作の説明に供する図である。具体的には、図８及び図９は、通信システム２００における通信端末１００ａにおけるパケット交換を用いた通信サービスの対象となる通信端末１００ｂの動作の説明に供するシーケンス図である。
【０１１１】
通信端末１００ｂの回線交換通信部１６０は、回線交換網４００を介して通信端末１００ａからの接続要求を受信すると、図８のステップＲ１０１において、サービス制御部１３０へ通知する。
【０１１２】
回線交換通信部１６０から接続要求の受信を通知された通信端末１００ｂのサービス制御部１３０は、このメッセージのヘッダ若しくはオプション領域等に格納されたサービス識別子から、これが擬似的にＰｏＣサービスを確立するための要求であることを検知し、このサービス識別子をセッション情報テーブル１１３に、ユーザ１のアドレスをセッション情報テーブル１１３の通信先回線交換アドレスに格納する。
【０１１３】
そして、ステップＲ１０２では、通信端末１００ｂのサービス制御部１３０は、入出力部１０１に、ＰｏＣの接続要求の通知を行う。ＰｏＣの接続要求を受けた入出力部１０１は、ユーザ２に対してＰｏＣの接続要求を受信したことを通知する。つまり、サービス制御部１３０は、入出力制御部１０１を介してユーザ２に対してＰｏＣの接続要求を受信したことを通知する。
【０１１４】
ステップＲ１０３では、ＰｏＣの接続要求受信の通知を確認したユーザ２が、ボタン押下等によりＰｏＣの接続要求に対する受け入れを指示し、ステップＲ１０４では、入出力部１０１は、入力されたＰｏＣ接続受け入れ指示をサービス制御部１３０へ通知する。
【０１１５】
ステップＲ１０５では、入出力部１０１からＰｏＣの接続要求受け入れを通知された通信端末１００ｂのサービス制御部１３０は、回線交換通信部１６０に対して、接続完了通知送信指示を行う。これを受けた回線交換通信部１６０は、回線交換網４００を介して接続完了通知を送信する。つまり、ステップＲ１０５では、サービス制御部１３０は、回線交換通信部１６０を介して接続完了通知を送信する。
【０１１６】
ステップＲ１０６では、サービス制御部１３０は、メディア制御部１４０に対して、回線交換を用いた半二重音声によるメディア制御を開始の通知を行う。
【０１１７】
このメディア制御開始の通知を受けたメディア制御部１４０は、回線交換通信部１６０に、回線交換を用いた半二重音声によるメディア制御開始指示を出力する。
【０１１８】
ステップＲ１０７では、メディア制御方法の通知を受けた通信端末１００ｂのメディア制御部１４０によって、回線交換通信部１６０は、回線交換網４００を介した音声データの受信を開始する。
【０１１９】
ステップＲ１０８では、回線交換部１６０は、受信した音声データのデコードを行い、デコードした音声データを「音声データ受信」情報としてメディア制御部１４０に出力する。
【０１２０】
ステップＲ１０９では、メディア制御部１４０は、入力された音声データを入出力部１０１に出力する。
【０１２１】
言い換えれば、ステップＲ１０７〜ステップＲ１０９において、サービス制御部１３０からメディア制御方法の通知を受けた通信端末１００ｂのメディア制御部１４０は、回線交換通信部１６０を介した音声データの受信（Ｒ１０７）、及びこの音声データのデコードと入出力制御部１０１を介した出力を開始する（Ｒ１０８、Ｒ１０９）。
【０１２２】
また、通信端末１００ｂのメディア制御部１４０は、回線交換通信部１６０を介して無音データの送信を開始し、サービス制御部１３０から音声送信の指示を受けるまで入出力部１０１を介して入力される音声を破棄する。
【０１２３】
このような動作の結果、ユーザ１及びユーザ２が共に送話を行っていない間は通信端末１００ａと通信端末１００ｂとの間で無音データの交換・再生が行われる。よって、通信端末１００ａ及び１００ｂ間では、ユーザ１及びユーザ２の一方が送話を行っている期間のみ、無音データではなく、相手ユーザの音声が再生され、擬似的な半二重音声の交換が行われる。
【０１２４】
以上のような処理により、通信端末１００ｂにおいて通信端末１００ａとの間で回線交換を用いた擬似的なＰｏＣサービスの確立が行われる。
【０１２５】
この後、パケット交換通信部１５０は、通信端末１００ａのパケット交換通信部１５０がパケット交換網３００（図１参照）を介して送信したＰｏＣ接続要求（図６のステップＳ１０５の処理）を受信したものとする。
【０１２６】
すると、ステップＲ１１０において、通信端末１００ｂのパケット交換通信部１５０は、ＰｏＣ接続要求を受信した旨の通知（ＰｏＣ要求受信通知）をサービス制御部１３０に出力する。
【０１２７】
このＰｏＣ接続要求受信通知を受けたサービス制御部１３０は、このＰｏＣ接続要求のメッセージに含まれるサービス識別子とセッション情報テーブル１１３に含まれるサービス識別子が同じであることを検知し、このＰｏＣ接続要求が回線交換より擬似的に実現されているＰｏＣサービスと対応するものであると判断する。
【０１２８】
そして、ステップＲ１１１において、サービス制御部１３０は、パケット交換通信部１５０にＰｏＣ接続要求受入を指示（ＰｏＣ要求受入指示）する。
【０１２９】
また、通信端末１００ｂのサービス制御部１３０は、セッション情報テーブル１１３の通信先パケット交換アドレスに受信したＰｏＣ接続要求のメッセージに含まれるユーザ１のアドレスを、セッション情報テーブル１１３の通信方式に「パケット交換」を格納し、セッション情報テーブル１１３に格納されている通信先回線交換アドレスの内容を消去する。
【０１３０】
次に、ステップＲ１１２では、通信端末１００ｂのサービス制御部１３０は、メディア制御部１４０に対して、パケット交換を用いた半二重音声のメディア制御方法を通知する。つまり、このステップＲ１１２では、サービス制御部１３０は、メディア制御部１４０に対して、パケット交換を用いた半二重音声にメディア制御方法を変更するよう指示している。
【０１３１】
サービス制御部１３０からメディアの制御方法の通知を受けた通信端末１００ｂのメディア制御部１４０は、回線交換通信部１６０を介した音声データの送受信を停止し、パケット交換通信部１５０を介した音声データの受信待ち受けを開始する。この後、通信端末１００ｂのメディア制御部１４０は、音声データを受信すると、その音声データのデコード及び入出力部１０１を介した出力を行う。また、通信端末１００ｂのメディア制御部１４０は、サービス制御部１３０からの指示に従い、入出力部１０１を介して入力される音声のエンコードとパケット化、及びパケット交換通信部１５０を介した音声パケットの送信の開始と終了を行う。
【０１３２】
この後、通信端末１００ｂの回線交換通信部１６０は、通信端末１００ａの回線交換通信部１６０から送信された回線交換切断要求（図７のステップＳ１２５の処理）を、回線交換網４００を介して受信したものとする。
【０１３３】
ステップＲ１１３では、通信端末１００ａからの回線交換切断要求を受信した通信端末１００ｂの回線交換通信部１６０が、その旨を示す通知をサービス制御部１３０に対して行う。
【０１３４】
ステップＲ１１４では、切断要求受信を通知されたサービス制御部１３０は、回線交換通信部１６０に切断要求受入を指示する。これを受けて回線交換通信部１６０は、ステップＲ１１５において、回線交換による接続の切断、つまり、音声データの受信を停止する。
【０１３５】
このようにステップＲ１１３〜ステップＲ１１５では、サービス制御部１３０は、回線交換網４００に、切断要求の受入を示す応答を、回線交換通信部１６０を介して送信し、回線交換による接続の切断を完了する。
【０１３６】
以上のような処理により、通信端末１００ｂでは、通信端末１００ａとの間で確立されていた回線交換を用いた擬似的なＰｏＣサービスから、パケット交換を用いたＰｏＣサービスへの切替が行われる。
【０１３７】
一方、通信端末１００ｂのパケット交換通信部１５０が発話権被取得通知（Ｆｌｏｏｒ  Ｔａｋｅｎ）を受信すると、ステップＲ１１６では、パケット交換通信部１５０は、発話権被取得通知（Ｆｌｏｏｒ  Ｔａｋｅｎ）を受信した旨を、サービス制御部１３０に通知する。
【０１３８】
ステップＲ１１７では、発話権被取得通知を受けたサービス制御部１３０は、入出力部１０１に受話開始を通知して、入出力部１０１を介して、ユーザ２に対してユーザ１からの音声の受話を開始したことを通知する。
【０１３９】
この後、ステップＲ１１８において、通信端末１００ｂのパケット交換通信部１５０は、音声パケットの受信を開始し、次いで、ステップＲ１１９において、パケット交換通信部１５０は、受信した音声パケットをメディア制御部１４０に出力する。
【０１４０】
ステップＲ１２０では、受信した音声データ（パケット）が入力されたメディア制御部１４０は、受信した音声データ（音声パケット）をデコードして、入出力部１０１へ出力する。
【０１４１】
すなわち、通信端末１００ｂのメディア制御部１４０は、パケット交換通信部１５０を介して音声パケットの受信を開始し（Ｒ１１８、Ｒ１１９）、受信した音声パケットのデコードと入出力部１０１を介したユーザ２への音声出力を開始する（Ｒ１２０）。
【０１４２】
通話相手側である通信端末１００ａのユーザ１が送話を停止すると、ステップＲ１２１では、パケット交換通信部１５０は、音声データ受信を終了し、メディア制御部１４０を介して入出力部１０１への音声の出力も終了する。すなわち、ステップＲ１２１では、メディア制御部１３０による通信端末１００ｂのパケット交換通信部を介した音声パケットの受信は終了し、ユーザ２への音声の出力も終了する。
【０１４３】
ステップＲ１２２では、発話権アイドル通知（Ｆｌｏｏｒ  Ｉｄｌｅ）を受信したパケット交換通信部１５０は、受信した発話権アイドル通知（Ｆｌｏｏｒ  Ｉｄｌｅ）をサービス制御部１３０に出力し、ステップＲ１２３において、サービス制御部１３０は、入出力部１０１に受話終了通知を出力する。
【０１４４】
つまり、ステップＲ１２２及びステップＲ１２３においては、通信端末１００ｂのサービス制御部１３０は、パケット交換通信部１５０を介して発話権アイドル通知（Ｆｌｏｏｒ  Ｉｄｌｅ）を受信すると、ユーザ１からの受話が終了したことを、入出力部１０１を介してユーザ２へ通知する。
【０１４５】
以上、本発明の実施の形態に係る通信端末１００ｂの動作について説明した。
【０１４６】
次に、ステップＳ１０３の処理、つまり、ユーザ１からパケット回線を用いた通信サービス（例えば、ＰｏＣ）の開始を指示された場合の通信方法決定処理について説明する。
【０１４７】
なお、このステップＳ１０３の説明に際しては、サービス制御部１３０が、入出力部１０１を介して、ＰｏＣ等のパケット交換通信サービス及び、それ以外の通信サービス開始指示を受けた場合も含めて図１０を用いて説明する。
【０１４８】
図１０は、ステップＳ１０３における接続方法決定の処理の説明に供するフローチャートである。
【０１４９】
図１０に示すように、Ｆ１０１では、通信端末１００ａのサービス制御部１３０は、入出力部１０１を介してユーザ１からのサービス開始要求を受けてステップＦ１０２に移行する。
【０１５０】
ステップＦ１０２では、通信端末１００ａのサービス制御部１３０は、ユーザに要求されたサービスがパケット交換サービスであるか否かを判定し、パケット交換サービスでなければステップＦ１０３に移行し、パケット交換サービスであればステップＦ１０４に移行する。つまり、ステップＦ１０２では、サービス制御部１３０は、ユーザが要求するサービスがパケット交換サービスであるかどうかを判断し、ユーザが要求するサービスがパケット交換サービスではなく、回線交換サービスである場合には、ステップＦ１０３に移行して通常通り回線交換による接続を行うことを決定する。
【０１５１】
一方、ステップＦ１０４への移行は、図６のステップＳ１０２に示すように、入出力部１０１から入力されるサービス開始要求の対象となるサービスがＰｏＣである場合や、ＶｏＩＰ等のパケット交換を用いたパケット交換サービスである場合に行われる。つまり、ステップＦ１０４は、ユーザの要求するサービスがＰｏＣやＶｏＩＰ等のパケット交換サービスである場合に行われる。
【０１５２】
ステップＦ１０４では、通信端末１００ａのサービス制御部１３０が、要求されたパケット交換サービスが回線交換による同時接続を行う設定になっているか否かを判定し、同時接続を行う設定で有れば、ステップＦ１０５に移行し、同時接続を行う設定でなければステップＦ１０６に移行する。
【０１５３】
ステップＦ１０５では、サービス制御部１３０は、パケット交換通信部１５０及び回線交換通信部１６０を介したパケット交換と回線交換の同時接続を決定する。
【０１５４】
また、ステップＦ１０６では、サービス制御部１３０は、パケット交換通信部１５０を介したパケット交換による接続を決定する。
【０１５５】
ここで、サービス制御部１３０における同時接続を行うかどうかの決定は、図４に示すように単にサービス毎に決められた設定に基づいて行われても良いし、それに加えて宛先ユーザ毎に異なる設定がされている場合にはそれに基づいて行われても良い。
【０１５６】
更に他の情報、例えば、ＧＰＳ受信機を搭載した通信端末とすれば、このＧＰＳ受信機により取得される位置情報等に基づいて同時接続を行うかどうかを決定しても良い。また、ユーザ１が明示的に同時接続を行うかどうかを入出力部１０１を介して入力することにより決定しても良い。
【０１５７】
また、アドレス情報テーブル１１１の内容に相手端末の回線交換アドレスが格納されていない場合、サービス情報テーブル１１２の内容に関わらず、同時接続が不可能であると判断し、パケット交換による接続を行うと決定しても良い。
【０１５８】
このように、サービス制御部１３０では、要求された通信サービスが、パケット交換サービスであって、且つ、同時接続を行う設定になっている場合、パケット交換と回線交換による同時接続を行うことを決定し、同時接続を行う設定になっていない場合には、パケット交換による接続を行うことを決定する。
【０１５９】
次に、通信端末１００ａにおいて、パケット交換を用いた通信サービスの接続が確立した場合にステップＳ１２２で行われる通信切替決定処理について説明する。
【０１６０】
図１１は、パケット交換による接続が確立した場合、つまり、通信切替決定の処理（ステップＳ１２２）の説明に供するフローチャートである。
【０１６１】
通信端末１００ａのサービス制御部１３０では、パケット交換と回線交換による同時接続を行った場合に、ステップＦ１０７では、パケット交換通信部１５０からＰｏＣ接続完了通知（ステップＳ１２１）されたサービス制御部１３０は、パケット交換接続を完了したと判断して、ステップＦ１０８に移行する。
【０１６２】
ステップＦ１０８では、通信端末１００ａのサービス制御部１３０は、その時点においいて回線交換を用いた擬似的なパケット交換サービスが確立しているか否かを判定する。このステップＦ１０８において、回線交換による疑似ＰｏＣサービスが確立していれば、ステップＦ１０９に移行し、回線交換による疑似ＰｏＣサービスが確立していなければ、
ステップＦ１１０に移行する。
【０１６３】
回線交換を用いた擬似ＰｏＣサービスが確立していない場合、つまり回線交換による接続よりもパケット交換による接続が先に確立した場合には、ステップＦ１１０では、通信端末１００ａのサービス制御部１３０は、通常通りにパケット交換サービスを開始することを決定する。なお、その後、サービス制御部１３０が回線交換を用いた擬似パケット交換サービスを確立するための接続要求を受信した場合には、回線交換通信部１６０を介して拒否応答を送信することにより回線交換の接続確立処理を終了させる。
【０１６４】
一方、既に回線交換を用いた擬似パケット交換サービスが確立している場合には、ステップＦ１０９では、通信端末１００ａのサービス制御部１３０は、回線交換からパケット交換への切替タイミングを満たしているか否かを判定し、切替タイミングを満たすまで、Ｆ１０９の処理をくり返し、切り替えタイミングを満たしていれば、ステップＦ１１１に移行する。
【０１６５】
ステップＦ１１１では、サービス制御部１３０は、回線交換を用いた擬似パケット交換サービスから通常のパケット交換サービスへの切替を行うことを決定する。
【０１６６】
このようにサービス制御部１３０は、パケット交換と回線交換による同時接続を行った場合に、パケット交換による接続が確立したとき、その時点における回線交換を用いた擬似的なパケット交換サービスが確立済みかを判定する。既に回線交換を用いた擬似パケット交換サービスが確立している場合には、サービス制御部１３０は、回線交換からパケット交換への切替タイミングを満たした時点で、回線交換を用いた擬似パケット交換サービスから通常のパケット交換サービスへの切替を行うことを決定する。
【０１６７】
ここで通信端末１００ａのサービス制御部１３０は、単純にパケット交換による接続が確立した時点で切替タイミングが満たされたと判断してもよいし、ユーザからボタン押下等の操作によって指示を受けることにより、切替タイミングを判断してもよい。
【０１６８】
また、サービス制御部１３０は、回線交換を用いた擬似パケット交換サービスの状態から、切替タイミングの判断を行っても良い。例えばパケット交換サービスがＰｏＣの場合であれば、サービス制御部１３０は、ユーザ１及びユーザ２が共にフロア権を取得していない状態を切替タイミングと判断しても良い。
【０１６９】
また、パケット交換サービスがＰｏＣ若しくはＶｏＩＰの場合に、サービス制御部１３０は、ある一定期間音声の無音状態が続いた状態を切替タイミングとして判断してもよい。更に、音声認識機能を備える通信端末１００とし、音声認識を行う音声認識部がユーザ１若しくはユーザ２が発した特定の語句を検知した場合に、この検知情報を受けてサービス制御部１３０が、パケット交換サービス、つまり、ＰｏＣサービスへの切替タイミングを決定しても良い。
【０１７０】
また、ＰｏＣで送受話中に、若しくはＶｏＩＰのような常にメディアの交換を行っているサービスにおいて、回線交換からパケット交換への移行を行う場合、通信端末１００ａのメディア制御部１４０では、回線交換を用いたメディアからパケット交換を用いたメディアへの切替を行う。
【０１７１】
ここで、例えばパケット交換と回線交換のメディアに共通のタイムスタンプを設定しておくことにより、通信端末１００ａのメディア制御部１４０がメディアの同期をとって切替を行うことが可能となる。これにより、音声や画像の途切れや揺らぎ等の障害を抑制することができる。また、切り替え前後の音声ボリュームを下げたり、音声若しくは映像のユーザへの出力形式・レートを変更することにより、ユーザが感じるメディアの途切れや揺らぎを抑える処理を行っても良い。
【０１７２】
以上、本実施の形態の通信端末の動作について説明した。本実施の形態では、通信端末１００ａがパケット交換を用いたＰｏＣサービスの接続確立を行う際に並行して回線交換による音声通信の接続確立を行い、パケット交換の接続完了に先行してユーザ１に対して回線交換を用いた擬似的なＰｏＣサービスの提供を開始する。これにより、ユーザ１から見たＰｏＣサービスが開始されるまでの所要時間を削減することが可能となる。
【０１７３】
このように、本実施の形態の通信端末１００ａのサービス制御部１３０では、入出力部１０１を介したユーザからのＰｏＣ開始指示（ステップＳ１０１、Ｓ１０２）等がある場合、つまり、通信端末１００ｂとの間でパケット交換を用いた通信サービスの接続確立を開始する場合、接続方式決定部１３１において、パケット交換を用いた通信サービスを、回線交換を用いて擬似的に行う疑似通信サービスが実現可能であるか否かを判断し、接続方法の決定によって判定する。具体的には、接続方式決定部１３１は、サービス情報テーブル（図４）を用いて、接続確立を開始するパケット交換を用いた通信サービス（例えば、ＰｏＣ）を、回線交換を用いた疑似通信サービスが可能であるかを判断し、可能であれば、パケット交換を用いた通信方式と共に、回線交換を用いた通信方式を決定する。
【０１７４】
この判定を受けて、同時接続部１３２は、パケット交換通信部１５０を介して、パケット交換を用いた通信サービスの接続確立処理を開始すると同時に、前記回線交換を用いた前記擬似通信サービスにおける前記回線交換の接続確立処理を開始する。つまり、同時接続部１３２は、回線交換通信部１６０を介して行う回線交換を用いた擬似通信サービスにおける回線交換の接続確立処理を、パケット交換通信部１５０を介して行うパケット交換を用いた前記通信サービスの接続確立処理の開始と並行して開始する。
【０１７５】
この同時接続部１３２の接続確立処理の開始によって回線交換通信部１６０における回線交換接続が確立された際に、疑似サービス実行部１３３は、回線交換通信部１６０を介して、パケット交換を用いた前記通信サービスを、擬似的に行う疑似通信サービスを実行する。
【０１７６】
疑似サービス実行部１３３は、同時接続部１３２の接続確立処理の開始によってパケット交換通信部１５０におけるパケット交換接続が確立されると、接続切替部１３４によって、パケット交換サービス実行部１３５に切り替えられる。
【０１７７】
パケット交換サービス実行部１３５は、パケット交換通信部１５０を介して、パケット交換を用いた通信サービスを実行する。
【０１７８】
このように、サービス制御部１３０は、回線交換を用いた前記擬似通信サービスが実現可能であると判断された場合、パケット交換を用いた前記通信サービスの接続が確立するまで、前記回線交換を用いた擬似通信サービスを行う。
【０１７９】
これにより、接続確立まで時間が掛かるパケット交換を用いた通信サービスを行う場合、パケット交換を用いた通信サービスの接続が確立するまで、ユーザは、回線交換を用いた疑似通信サービスで通信サービスを受けることができ、ユーザからみて、通信サービスの接続確立時間が短縮されることとなり、ユーザに対して、通信サービスの接続遅延によるストレスを軽減することができる。これによりユーザは、回線交換を用いた通信サービスよりも接続費用が低廉なパケット交換を用いた通信サービスを、接続の際のストレスを受けることなく利用することができる。
【０１８０】
上記した実施の形態では、通信端末１００ｂのサービス制御部１３０は、回線交換の接続確立要求を受信した際に、メッセージに含まれるサービス識別子から、その要求が擬似ＰｏＣサービスの確立を要求するものであることを判断したがこれに限らない。例えばＶｏＩＰのように、パケット交換と回線交換で同等なサービスが実現可能な場合には、着信側である通信端末１００ｂは回線交換の接続確立要求を受信した際に、それがＶｏＩＰを擬似的に実現するものであるかどうかを判断する必要はなく、通常の回線交換による音声通話を開始すれば良いため、サービス識別子を用いずに回線交換とパケット交換による同時接続が行われても良い。そのような処理を行う場合、例えば回線交換による音声通信が確立したあと、発呼側からのパケット交換での接続確立要求を、サービス識別子を含まない形式で受信した場合、着信側である通信端末１００ｂは、この受信した情報が音声通信の相手と同じ通信端末１００ａからのＶｏＩＰの確立要求であることから、回線交換の音声通信からパケット交換のＶｏＩＰへの切替を判断することができる。
【０１８１】
また、上記した実施の形態では、通信端末１００ａと通信端末１００ｂ間でパケット交換の接続が確立した後、通信端末１００ａ側から回線交換の切断処理を行ったが、通信端末１００ｂ側から切断を行う形式を取っても良い。また、回線交換若しくはパケット交換の接続処理を行う際のメッセージに追加情報を入れることにより、通信端末１００ａと通信端末１００ｂのどちらが切断処理を開始するかを決定しても良い。
【０１８２】
なお、通信端末１００の各機能ブロックは、集積回路であるＬＳＩとして実現されても良い。これらは個別に１チップ化されても良いし、一部または全てを含むように１チップ化されても良い。ここでは、ＬＳＩとしたが、集積度の違いにより、ＩＣ、システムＬＳＩ、スーパーＬＳＩ、ウルトラＬＳＩと呼称されることもある。
【０１８３】
また、集積回路化の手法はＬＳＩに限るものではなく、専用回路又は汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０１８４】
さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。
【０１８５】
また、本発明を詳細にまた特定の実施態様を参照して説明したが、本発明の精神と範囲を逸脱することなく様々な変更や修正を加えることができることは当業者にとって明らかである。
【０１８６】
また、ここでは、本発明をハードウェアで構成する場合を例にとって説明したが、本発明をソフトウェアで実現することも可能である。例えば、本発明に係る通信サービス接続方法のアルゴリズムをプログラム言語によって記述し、このプログラムをメモリに記憶しておいて情報処理手段によって実行させることにより、本発明に係る通信端末と同様の機能を実現することができる。
【産業上の利用可能性】
【０１８７】
本発明に係る通信端末及び通信サービス接続方法は、パケット交換を用いた通信サービスを行う場合の、ユーザから見た接続確立時間の短縮を実現する効果を有し、パケット交換方式に対応した携帯電話端末等として有用である。
【図面の簡単な説明】
【０１８８】
【図１】本発明の一実施の形態に係る通信端末を備える通信システムの概略構成を示す図
【図２】本発明の一実施の形態に係る通信端末の概略構成を示すブロック図
【図３】本発明の一実施の形態に係る通信端末におけるアドレス情報テーブルの一例を示す図
【図４】本発明の一実施の形態に係る通信端末のサービス情報テーブルの一例を示す図
【図５】本発明の一実施の形態に係る通信端末のセッション情報テーブルの一例を示す図
【図６】本発明の一実施の形態に係る通信端末の動作の説明に供するシーケンス図
【図７】本発明の一実施の形態に係る通信端末の動作の説明に供するシーケンス図
【図８】本発明の一実施の形態に係る通信端末においてパケット交換を用いた通信サービスの対象となる通信端末の動作の説明に供するシーケンス図
【図９】本発明の一実施の形態に係る通信端末においてパケット交換を用いた通信サービスの対象となる通信端末の動作の説明に供するシーケンス図
【図１０】本発明の一実施の形態に係る通信端末における接続方法決定の処理の説明に供するフローチャート
【図１１】本発明の一実施の形態に係る通信端末における通信切替決定の処理の説明に供するフローチャート
【符号の説明】
【０１８９】
１００、１００ａ、１００ｂ  通信端末
１０１  入出力部
１１１  アドレス情報テーブル
１１２  サービス情報テーブル
１１３  セッション情報テーブル
１３０  サービス制御部
１３１  接続方式決定部（疑似通信サービス判定手段）
１３２  同時接続部
１３３  疑似サービス実行部
１３４  接続切替部
１３６  疑似サービス提供部
１４０  メディア制御部
１５０  パケット交換通信部
１６０  回線交換通信部
３００  パケット交換網
４００  回線交換網
【図１】
2008153791.tif 000003
【図２】
2008153791.tif 000004
【図３】
2008153791.tif 000005
【図４】
2008153791.tif 000006
【図５】
2008153791.tif 000007
【図６】
2008153791.tif 000008
【図７】
2008153791.tif 000009
【図８】
2008153791.tif 000010
【図９】
2008153791.tif 000011
【図１０】
2008153791.tif 000012
【図１１】
2008153791.tif 000013